(57)【要約】【課題】体成分測定装置および生体情報管理システムが開示される。【解決手段】体成分測定装置は、身長値が入力され、測定された体重値とインピーダンス値、そして入力された身長値を利用して被測定者の体成分値を測定する。【選択図】図１
2013056151.tif 000002
【特許請求の範囲】
【請求項１】
被測定者の体成分測定のための電極部、
被測定者の体重を認識する体重測定部、
体成分測定結果を表示する表示部、および
前記電極部を利用して人体のインピーダンス値を測定するインピーダンス測定部を含む体成分測定装置であって、
体成分値の測定のための単一入力要素として、身長値が入力される入力部、および
前記体重測定部から測定された体重値、前記インピーダンス測定部から測定されたインピーダンス値、および前記入力部から入力された身長値によって被測定者の体成分値を測定する体成分測定部
を含むことを特徴とする、体成分測定装置。
【請求項２】
前記入力部は身長値だけが入力され、
前記体成分測定部は、被測定者の年齢および性別とは独立的に前記身長値を利用して前記体成分を測定することを特徴とする、請求項１に記載の体成分測定装置。
【請求項３】
前記入力部は連続制御器を含み、
前記連続制御器は、時計方向および半時計方向に回転するダイヤル、ホイール、またはノブを含み、前記ダイヤル、ホイール、またはノブの回転方向に応じて前記表示部に示される身長値が増加または減少し、
前記連続制御器の回転による角速度に応じて前記表示部に示される身長値の変更幅が変化することを特徴とする、請求項１または２に記載の体成分測定装置。
【請求項４】
前記身長値が上下調節されることによって前記身長値の入力が完了し、または前記身長値が上下調節された後に前記入力部に対する圧力が感知される場合、前記身長値の入力が完了することを特徴とする、請求項１〜３のうちのいずれか一項に記載の体成分測定装置。
【請求項５】
前記入力部が操作されるとき、前記表示部に示される身長値がデフォルト値から調節されるように前記表示部を制御する制御部をさらに含み、
前記表示部は、前記入力部に対する接触が発生する場合、前記デフォルト値を表示し、
前記デフォルト値は可変であることを特徴とする、請求項１〜４のうちのいずれか一項に記載の体成分測定装置。
【請求項６】
前記身長値を格納する格納部をさらに含み、
前記デフォルト値は、
前記格納部に格納された少なくとも一人以上の過去の被測定者の身長値のうちの１つであるか、
前記格納部に格納された身長値の平均値であるか、または
前記被測定者の体重に対応する標準身長値であることを特徴とする、請求項５に記載の体成分測定装置。
【請求項７】
前記体成分測定装置において、
前記入力部によって前記身長値が入力され、前記表示部が前記身長値を表示する第１プロセス、
前記電極部と接触した被測定者の体重値を前記体重測定部によって測定する第２プロセス、
前記インピーダンス測定部が前記電極部と接触した人体のインピーダンス値を測定する第３プロセス、
前記体成分測定部が体成分値を測定する第４プロセス、および
前記表示部が前記体重測定部によって測定された体重値と、前記体成分測定部によって測定された体成分値を表示する第５プロセス
が順に実行されることを特徴とする、請求項１〜６のうちのいずれか一項に記載の体成分測定装置。
【請求項８】
前記電極部は、被測定者の手が接触する手電極部および被測定者の足が接触する足電極部を含み、
前記手電極部が配置されたハンドルに前記入力部および前記表示部のうちの少なくとも１つがさらに配置され、
前記体成分測定装置において、
前記手電極部を掴んで前記足電極部に上がった被測定者の体重値を前記体重測定部によって測定する第１プロセス、
前記手電極部が配置されたハンドルの前記入力部によって前記身長値が入力され、前記表示部が前記身長値を表示する第２プロセス、
前記インピーダンス測定部がインピーダンス値を測定する第３プロセス、
前記体成分測定部が体成分値を測定する第４プロセス、および
前記表示部が前記体重測定部によって測定された体重値と、前記体成分測定部によって測定された体成分値を表示する第５プロセス
が順に実行されることを特徴とする、請求項１〜６のうちのいずれか一項に記載の体成分測定装置。
【請求項９】
前記電極部は、被測定者の手が接触する手電極部および被測定者の足が接触する足電極部を含み、
前記体成分測定装置において、
前記足電極部に上がった被測定者の体重値を前記体重測定部によって測定する第１プロセス、
前記入力部によって前記身長値が入力され、前記表示部が前記身長値を表示する第２プロセス、
前記インピーダンス測定部が前記手電極部を掴んだ前記被測定者のインピーダンス値を測定する第３プロセス、
前記体成分測定部が体成分値を測定する第４プロセス、および
前記表示部が前記体重測定部によって測定された体重値と、前記体成分測定部によって測定された体成分値を表示する第５プロセス
が順に実行されることを特徴とする、請求項１〜６のうちのいずれか一項に記載の体成分測定装置。
【請求項１０】
前記表示部は、測定された測定値それぞれを時間の流れに応じて１つずつ表示する第１領域、および前記第１領域で示された測定値を順にすべて表示する第２領域を含み、
前記第１領域に第１測定値が表示されるとき、前記第２領域に順に表示された測定値のうちの前記第１測定値にカーソルが表示され、
前記第１領域に第２測定値が表示されるとき、前記第２領域に順に表示された測定値のうちの前記第２測定値にカーソルが表示されることを特徴とする、請求項１〜９のうちのいずれか一項に記載の体成分測定装置。
【請求項１１】
前記体成分測定装置において電源を印加するプロセスを実行し、
前記電源を印加するプロセスは、前記入力部または前記体重測定部が押されること、または前記体重測定部が被測定者の体重を認識することで実行されることを特徴とする、請求項１〜１０のうちのいずれか一項に記載の体成分測定装置。
【請求項１２】
前記入力部は、
体成分値以外の比較指標を提供するために、年齢および性別のうちの少なくとも１つがさらに入力されることを特徴とする、請求項１〜１１のうちのいずれか一項に記載の体成分測定装置。
【請求項１３】
入力された身長値、被測定者に対して測定した体重値、およびインピーダンス値によって被測定者の体成分値を測定する体成分測定装置から生体情報および前記体成分測定装置の機器固有番号を含むデータを受信する受信部、
前記生体情報および前記機器固有番号を利用してユーザ識別情報を生成する識別情報生成部、および
生成された前記ユーザ識別情報と前記生体情報を互いに関連して格納データとして格納する格納部を含み、
前記体成分測定装置は、
被測定者の体成分測定のための電極部、
被測定者の体重を認識する体重測定部、
体成分測定結果を表示する表示部、
前記電極部を利用して人体のインピーダンス値を測定するインピーダンス測定部、
前記体成分値の測定のための単一入力要素として、前記身長値が入力される入力部、
前記体重測定部から測定された前記体重値、前記インピーダンス測定部から測定された前記インピーダンス値、および前記入力部から入力された前記身長値によって前記体成分値を測定する体成分測定部、および
前記機器固有番号を格納する固有番号格納部を含み、
前記入力部は身長値だけが入力され、
前記体成分測定部は、被測定者の年齢および性別とは独立的に前記身長値を利用して前記体成分を測定すること
を特徴とする、生体情報管理システム。
【請求項１４】
前記受信部によって受信されたデータと前記格納部に既に格納された格納データを比較して現在のユーザを識別し、識別されたユーザの生体情報を前記格納データにアップデートする管理部をさらに含むことを特徴とする、請求項１３に記載の生体情報管理システム。
【請求項１５】
前記管理部は、
前記身長値と前記機器固有番号を前記既に格納された格納データと比較してユーザを識別すること、または
前記体重値、前記インピーダンス値、および前記体成分値のうちの少なくとも１つと前記機器固有番号を前記既に格納された格納データと比較して前記ユーザを識別することを特徴とする、請求項１４に記載の生体情報管理システム。
【請求項１６】
前記管理部は、
前記データと単一の格納データの間の差が許容範囲以内である場合、ユーザの生体情報を前記格納データにすぐにアップデートし、
前記データと複数の格納データそれぞれの間の差が許容範囲以内である場合、前記複数の格納データに関する情報をユーザに提供し、ユーザによって選択された格納データにユーザの生体情報をアップデートし、
前記データと前記格納データの間または前記データと前記複数の格納データそれぞれの間の差が許容範囲を逸脱する場合、前記機器固有番号と同じ機器固有番号を含む格納データに関する情報をユーザに提供し、ユーザによって選択された格納データにユーザの生体情報をアップデートすることを特徴とする、請求項１４に記載の生体情報管理システム。
【請求項１７】
入力された身長値、被測定者に対して測定した体重値、およびインピーダンス値によって被測定者の体成分値を測定する体成分測定装置の表示部の少なくとも一部を撮影し、撮影されたイメージを送信する端末機から前記イメージを受信する受信部、
前記イメージを分析して生体情報を抽出する生体情報抽出部、および
前記抽出された生体情報をユーザ識別情報と関連して格納データとして格納する格納部を含み、
前記体成分測定装置は、
被測定者の体成分測定のための電極部、
被測定者の体重を認識する体重測定部、
前記電極部を利用して人体のインピーダンス値を測定するインピーダンス測定部、
前記体成分値の測定のための単一入力要素として、前記身長値が入力される入力部、
前記体重測定部から測定された前記体重値、前記インピーダンス測定部から測定された前記インピーダンス値、および前記入力部から入力された前記身長値によって前記体成分値を測定する体成分測定部、および
前記機器固有番号を格納する固有番号格納部を含み、
前記入力部は身長値だけが入力され、
前記体成分測定部は、被測定者の年齢および性別とは独立的に前記身長値を利用して前記体成分を測定し、
前記表示部は体成分測定結果を表示すること
を特徴とする、生体情報管理システム。
【発明の詳細な説明】
【技術分野】
【０００１】
本発明は、体成分測定装置および生体情報管理システムに関する。
【背景技術】
【０００２】
従来技術において、従来の体成分測定装置は、ユーザの使用において不便な点が多くある。例えば、キーパッドまたはタッチスクリーンを利用して性別、年齢、身長、またはＩＤなどの複数のユーザ情報を入力し、確認ボタンを押して入力した情報を機器に格納した後でなければ体成分を測定することができない。このような過程において、ユーザは複数のユーザ情報を入力するために、矢印あるいは数字で構成された多様なボタンを何度も押さなければならないという煩わしさがあるだけでなく、体成分測定を開始するまでにかかる時間が長くなり、体成分測定装置の使用に不便を来たすという問題点がある。また、体成分測定結果の表示が複雑であって使い勝手が良くないため、体成分測定結果の確認に不慣れなユーザであれば、自身の測定結果を見るために専門家の助けが必要となる。特に、一般人だけでなく、高齢者や幼いユーザの場合には、従来技術に係る体成分測定装置による体成分測定と体成分測定結果の確認がより難しく、不便であるという問題点がある。
【０００３】
さらに、体成分の測定後に測定結果データを自身のＰＣやスマートフォンなどのユーザ端末にアップロードして管理しようとするとき、ユーザは、ユーザ端末と体成分分析器の間の有線無線通信が可能な場合にはユーザ識別のために自身のＩＤを入力しなければならず、有線無線通信が不可能な場合には自身の体成分結果を記憶したりメモしたりして直接入力しなければならず、使用に不便があった。
【発明の概要】
【発明が解決しようとする課題】
【０００４】
被測定者の身長値を除いた他のユーザ情報を入力しなくても、体成分測定が可能な体成分測定装置が提供される。
【０００５】
被測定者の身長値だけを入力要素とするため、ダイヤル、ノブ、スライドバー、ホイールなどの連続制御器などのように、簡単な形態の単一入力部だけでユーザ情報の入力が可能であり、身長値が入力されて被測定者の身体と電極部が接触するだけで体成分を測定することができる体成分測定装置が提供される。
【０００６】
表示部に示される身長が可変なデフォルト値から調節されるようにすることにより、身長値の入力時にユーザの便宜性を極大化することができる体成分測定装置が提供される。
【０００７】
身長値の入力時、柔軟に設定された身長のデフォルト値を確認し、ユーザがその身長のデフォルト値からボタン、ダイヤル、またはホイール形態の入力部を調節して自身の身長を最小限に高めたり低めたりして調節することにより、狭い身長値の範囲を移動することによって入力時間が短縮され、入力の不便を減らすことができる体成分測定装置が提供される。
【０００８】
第１領域および第２領域に分けられた表示部により、第１領域は測定された測定値それぞれを時間の流れに応じて１つずつ大きく表示し、第２領域は第１領域で示された測定値を累積してすべて表示し、ユーザに体成分測定結果を一目で確認しやすいユーザインターフェースの形態で提供することにより、ユーザの便宜性を向上させることができる体成分測定装置が提供される。
【０００９】
体成分測定装置の表示部の少なくとも一部を撮影したイメージをユーザのＰＣやスマートフォンなどのユーザ端末を介して受信し、受信されたイメージを分析して生体情報を抽出することにより、ユーザの体成分測定結果データを管理することができる生体情報管理システムが提供される。
【００１０】
体成分測定装置の機器固有番号とユーザの身長値を利用してユーザを識別することができる生体情報管理システムが提供される。
【課題を解決するための手段】
【００１１】
本発明の一側面によれば、被測定者の体成分測定のための電極部、被測定者の体重を認識する体重測定部、体成分測定結果を表示する表示部、および前記電極部を利用して人体のインピーダンス値を測定するインピーダンス測定部を含む体成分測定装置であって、体成分値の測定のための単一入力要素として、身長値が入力される入力部、および前記体重測定部から測定された体重値、前記インピーダンス測定部から測定されたインピーダンス値、および前記入力部から入力された身長値によって被測定者の体成分値を測定する体成分測定部を含むことを特徴とする体成分測定装置が提供される。
【００１２】
前記電極部は、被測定者の手が接触する手電極部、および被測定者の足が接触する足電極部を含んでもよい。
【００１３】
前記入力部は身長値だけが入力されてもよい。ここで、前記体成分測定部は、被測定者の年齢および性別とは独立的に前記身長値を利用して前記体成分を測定してもよい。
【００１４】
前記入力部は連続制御器を含んでもよい。
【００１５】
前記連続制御器は、時計方向および半時計方向に回転するダイヤル、ホイール、またはノブを含み、前記ダイヤル、ホイール、またはノブの回転方向に応じて前記表示部に示される身長値が増加または減少してもよい。
【００１６】
前記連続制御器の回転による角速度に応じ、前記表示部に示される身長値の変更幅が変化してもよい。
【００１７】
前記入力部は、左右方向または上下方向に移動可能なスライドバーを含み、前記スライドバーの移動方向に応じて前記表示部に示される身長値が増加または減少してもよい。
【００１８】
前記入力部は、上下または左右ボタンを含み、前記ボタンの上下または左右入力に応じて前記表示部に示される身長値が増加または減少してもよい。
【００１９】
前記身長値が上下調節されることにより、前記身長値の入力が完了してもよい。
【００２０】
前記体成分測定装置は、前記入力部が操作されるとき、前記表示部に示される身長値がデフォルト値から調節されるように前記表示部を制御する制御部をさらに含んでもよい。
【００２１】
前記表示部は、前記入力部に対する接触が発生する場合、前記デフォルト値を表示してもよい。
【００２２】
前記デフォルト値は可変可能であってもよい。
【００２３】
前記体成分測定装置は、前記身長値を格納する格納部をさらに含んでもよい。
【００２４】
前記デフォルト値は、前記格納部に格納された少なくとも一人以上の以前被測定者の身長値のうちの１つであってもよい。
【００２５】
前記デフォルト値は、前記格納部に格納された以前被測定者の身長値であってもよい。
【００２６】
前記体成分測定装置は、前記格納部に格納された身長値の平均値を演算する演算部をさらに含んでもよい。
【００２７】
前記デフォルト値は、前記演算部で演算された身長値の平均値であってもよい。
【００２８】
前記デフォルト値は、被測定者の体重に対応する標準身長値であってもよい。
【００２９】
前記体成分測定装置において、前記入力部によって前記身長値が入力され、前記表示部が前記身長値を表示する第１プロセス、前記電極部と接触した被測定者の体重値を前記体重測定部によって測定する第２プロセス、前記インピーダンス測定部が前記電極部と接触した人体のインピーダンス値を測定する第３プロセス、前記体成分測定部が体成分値を測定する第４プロセス、および前記表示部が前記体重測定部によって測定された体重値と、前記体成分測定部によって測定された体成分値を表示する第５プロセスが順に実行されてもよい。
【００３０】
前記手電極部が配置されたハンドルに、前記入力部および前記表示部のうちの少なくとも１つがさらに配置されてもよい。
【００３１】
前記体成分測定装置において、前記手電極部を掴んで前記足電極部に上がった被測定者の体重値を前記体重測定部によって測定する第１プロセス、前記手電極部が配置されたハンドルの前記入力部によって前記身長値が入力され、前記表示部が前記身長値を表示する第２プロセス、前記インピーダンス測定部がインピーダンス値を測定する第３プロセス、前記体成分測定部が体成分値を測定する第４プロセス、および前記表示部が前記体重測定部によって測定された体重値と、前記体成分測定部によって測定された体成分値を表示する第５プロセスが順に実行されてもよい。
【００３２】
前記体成分測定装置において、前記足電極部に上がった被測定者の体重値を前記体重測定部によって測定する第１プロセス、前記入力部によって前記身長値が入力され、前記表示部が前記身長値を表示する第２プロセス、前記インピーダンス測定部が前記手電極部を掴んだ前記被測定者のインピーダンス値を測定する第３プロセス、前記体成分測定部が体成分値を測定する第４プロセス、および前記表示部が前記体重測定部によって測定された体重値と、前記体成分測定部によって測定された体成分値を表示する第５プロセスが順に実行されてもよい。
【００３３】
前記表示部は、測定された測定値それぞれを時間の流れに応じて１つずつ表示する第１領域、および前記第１領域で示された測定値を順にすべて表示する第２領域を含んでもよい。
【００３４】
前記第１領域に第１測定値が表示されるとき、前記第２領域に順に表示された測定値のうちの前記第１測定値にカーソルが表示されてもよく、前記第１領域に第２測定値が表示されるとき、前記第２領域に順に表示された測定値のうちの前記第２測定値にカーソルが表示されてもよい。
【００３５】
前記体成分測定装置は、被測定者が正しい測定姿勢をとったかを判断して被測定者に知らせ、被測定者の測定姿勢をとる時点を知らせる通知部をさらに含んでもよい。
【００３６】
前記体成分測定装置は、電源を印加するプロセスを実行してもよい。
【００３７】
前記電源を印加するプロセスは、前記入力部が押されれば実行されてもよい。
【００３８】
前記電源を印加するプロセスは、前記体重測定部が被測定者の体重を認識すれば実行されてもよい。
【００３９】
前記入力部は、体成分値以外の比較指標を提供するために、年齢および性別のうちの少なくとも１つが入力されてもよい。
【００４０】
入力された身長値、そして被測定者に対して測定した体重値、およびインピーダンス値によって被測定者の体成分値を測定する体成分測定装置から生体情報および前記体成分測定装置の機器固有番号を含むデータを受信する受信部、前記生体情報および前記機器固有番号を利用してユーザ識別情報を生成する識別情報生成部、および生成された前記ユーザ識別情報と前記生体情報を互いに関連して格納データとして格納する格納部を含む生体情報管理システムが提供される。
【００４１】
入力された身長値、そして被測定者に対して測定した体重値、およびインピーダンス値によって被測定者の体成分値を測定する体成分測定装置の表示部の少なくとも一部を撮影し、撮影されたイメージを送信する端末機から前記イメージを受信する受信部、および前記イメージを分析して生体情報を抽出する生体情報抽出部を含む生体情報管理システムが提供される。
【発明の効果】
【００４２】
被測定者の身長値を除いた他のユーザ情報を入力しなくても、体成分を測定することができる。
【００４３】
被測定者の身長値だけを入力要素とするため、ダイヤル、ノブ、スライドバー、ホイールなどの連続制御器などのように、簡単な形態の単一の入力部によってユーザ情報の入力が可能であり、身長値だけが入力されて被測定者の身体と電極部が接触するだけで体成分を測定することができる。表示部に示される身長が可変なデフォルト値から調節されるようにすることにより、身長値の入力時にユーザの便宜性を極大化することができる。
【００４４】
身長値の入力時、柔軟に設定された身長のデフォルト値を確認し、ユーザがその身長のデフォルト値からボタン、ダイヤル、またはホイール形態の入力部を調節して自身の身長を最小限に高めたり低めたりして調節することにより、狭い身長値の範囲を移動することによって入力時間が短縮され、入力の不便を減らすことができる。
【００４５】
第１領域および第２領域に分けられた表示部により、第１領域は測定された測定値それぞれを時間の流れに応じて１つずつ大きく表示し、第２領域は第１領域で示された測定値を累積してすべて表示し、ユーザに体成分測定結果を一目で確認しやすいユーザインターフェースの形態で提供することにより、ユーザの便宜性を向上させることができる。
【００４６】
体成分測定装置の表示部の少なくとも一部を撮影したイメージをユーザのＰＣやスマートフォンなどのユーザ端末を介して受信し、受信されたイメージを分析して生体情報を抽出することにより、ユーザの体成分測定結果データを管理することができる。
【００４７】
体成分測定装置の機器固有番号とユーザの身長値を利用してユーザを識別することができる。
【図面の簡単な説明】
【００４８】
【図１】本発明の一実施形態において、体成分測定装置の概括的な一例を示す図である。
【図２】本発明の一実施形態において、体成分測定装置の概括的な他の例を示す図である。
【図３】本発明の一実施形態において、連続制御器を含む入力部と表示部を示す図である。
【図４】本発明の一実施形態において、左右方向に移動可能なスライドバーの形態で実現された入力部と表示部を示す図である。
【図５】本発明の一実施形態において、左右ボタンで実現された入力部と表示部を示す図である。
【図６】本発明の一実施形態に係る体成分測定装置の入力部と表示部を示す図である。
【図７】本発明の一実施形態に係る体成分測定装置の表示部の変化を示す図である。
【図８】本発明の一実施形態に係る体成分測定装置の内部構成を説明するためのブロック図である。
【図９】本発明の一実施形態において、体成分測定装置が実行するプロセスの一例を示す図である。
【図１０】本発明の一実施形態において、体成分測定装置が実行するプロセスの他の例を示す図である。
【図１１】本発明の他の実施形態において、体成分測定装置が実行するプロセスの例を示す図である。
【図１２】本発明の一実施形態において、生体情報管理システムを概括的に示す図である。
【図１３】本発明の一実施形態において、生体情報管理システムの内部構成を説明するためのブロック図である。
【図１４】本発明の他の実施形態において、生体情報管理システムの内部構成を説明するためのブロック図である。
【発明を実施するための形態】
【００４９】
以下、本発明の実施形態を添付の図面を参照しながら詳細に説明する。各図面に提示された同一の参照符号は同一の部材を示す。
【００５０】
図１は、本発明の一実施形態において、体成分測定装置の概括的な一例を示す図である。図１は、本実施形態に係る体成分測定装置１００の上部に配置された構成要素である電極部１１０、表示部１２０、および入力部１３０を示している。
【００５１】
電極部１１０は、被測定者の体成分測定のために被測定者と接触するためのものであり、本実施形態では被測定者の足と接触するための形態で実現されている。このとき、体成分測定装置１００は、このような電極部１１０を利用して人体のインピーダンス値を測定するインピーダンス測定部（図示せず）をさらに含んでもよい。また、体成分測定装置１００は、被測定者の体重を認識する体重測定部（図示せず）を電極部１１０の下部にさらに含んでもよい。したがって、被測定者が体成分測定装置１００の上部に配置された電極部１１０上に上がれば、体重測定部によって被測定者の体重値が測定されてもよく、インピーダンス測定部によって被測定者のインピーダンス値が測定されてもよい。
【００５２】
表示部１２０は、体成分測定結果を表示する。例えば、被測定者が体成分測定装置１００上部に配置された電極部１１０の上に上がれば、測定される体重値とインピーダンス値が優先的に表示部１２０に表示されてもよい。必要によっては、体成分の測定が完了した後、測定された生体情報が順に表示されてもよい。ここで、生体情報は、被測定者に対して測定された測定生体情報（例えば、体重値、インピーダンス値、および体成分値）と被測定者または体成分測定装置１００のユーザによって入力された入力生体情報（例えば、身長値）のうちの少なくとも１つの情報を含んでもよい。
【００５３】
入力部１３０は、体成分値の測定のための単一入力要素として、身長値が入力される。このとき、身長値は、被測定者または体成分測定装置１００のユーザによって入力されてもよい。図１において、入力部１３０は、時計方向および半時計方向に回転するダイヤル形態の連続制御器で実現されており、ダイヤルの回転方向に応じて表示部１２０に示される身長値が増加または減少してもよい。
【００５４】
また、体成分測定装置１００は、体重測定部から測定された体重値、インピーダンス測定部から測定されたインピーダンス値、および入力部１３０から入力された身長値によって被測定者の体成分値を測定する体成分測定部（図示せず）を含んでもよい。
【００５５】
このとき、入力部１３０は身長値だけが入力されてもよく、体成分測定部は被測定者の年齢および性別とは独立的に身長値を利用して体成分を測定してもよい。必要によって、入力部１３０は、体成分値以外の比較指標を提供するために、年齢および性別のうちの少なくとも１つがさらに入力されてもよい。すなわち、体成分値の測定のためには、年齢および性別とは独立的に身長値だけが入力されてもよいが、体成分値でない他の別途の比較指標をさらに提供するために、年齢と性別のうちの少なくとも１つがさらに入力されてもよい。このような年齢や性別は、体成分測定が完了した後に入力されてもよい。
【００５６】
上述した図１は、本発明の理解を助けるための一例に過ぎず、本発明がこのような図１の説明によって制限されたり限定されたりすることはない。例えば、図１において、電極部１１０は被測定者の足と接触するための形態で実現されているが、必要によって、電極部１１０は、被測定者の手が接触する手電極部と被測定者の足が接触する足電極部に分けて実現されてもよい。
【００５７】
図２は、本発明の一実施形態において、体成分測定装置の概括的な他の例を示す図である。本実施形態に係る体成分測定装置１００は、図１と同じように、電極部１１０、表示部１２０、および入力部１３０を構成要素として含み、図２に示すようにハンドル２１０をさらに含んでいる。このとき、ハンドル２１０には、被測定者の手が接触する手電極部２２０がさらに示されている。この場合、電極部１１０は、被測定者の足が接触する足電極部に対応してもよい。
【００５８】
図１および図２を参照すれば、図１では入力部１３０がダイヤル形態で実現される連続制御器についてのみ説明したが、入力部１３０は一例として、時計方向および半時計方向に回転するホイールまたはノブ形態で実現された連続制御器を含んでもよい。この場合にも、ホイールまたはノブの回転方向に応じて表示部１２０に示される身長値が増加または減少してもよい。
【００５９】
図３は、本発明の一実施形態において、連続制御器を含む入力部と表示部を示す図である。図３は、図１および図２で説明した表示部１２０と入力部１３０を示している。ここで、入力部１３０が時計方向に回転する場合には表示部１２０に表示される身長値が増加してもよいことを、半時計方向に回転する場合には表示部１２０に表示される身長値が減少してもよいことを示している。例えば、連続制御器の回転時に「０．５センチメートル」または「１．０センチメートル」のように予め設定された単位レベルだけ、表示部１２０に表示される身長値が増加または減少してもよい。他の例として、連続制御器の回転時の角速度に比例し、角速度が大きいほど表示部１２０に表示される身長値の変更幅が大きく、角速度が小さければ身長値の変更幅が小さいように制御されてもよい。すなわち、連続制御器の回転による角速度に応じ、表示部１２０に示される身長値の変更幅が変化してもよい。
【００６０】
再び図１および図２を参照すれば、図１の入力部１３０は他の例として、連続制御器の代わりに左右方向または上下方向に移動可能なスライドバーを含んでもよい。この場合、前記スライドバーの移動方向に応じて表示部１２０に示される身長値が増加または減少してもよい。
【００６１】
図４は、本発明の一実施形態において、左右方向に移動可能なスライドバーの形態で実現された入力部と表示部を示す図である。第１点線ボックス４１０は、スライドバーの形態で実現された入力部１３０で最も左側にバーが移動した状態を示しており、この場合の身長値が「０．０ｃｍ」であることを表示する表示部１２０を示している。第２点線ボックス４２０は、入力部１３０でバーが右側に移動した状態を示しており、この場合の身長値が「１７０．０ｃｍ」であることを表示する表示部１２０を示している。
【００６２】
再び図１および図２を参照すれば、入力部１３０は、さらに他の例として、上下または左右ボタンを含んでもよい。この場合、ボタンの上下または左右入力に応じて表示部１２０に示される身長値が増加または減少してもよい。
【００６３】
図５は、本発明の一実施形態において、左右ボタンで実現された入力部と表示部を示す図である。図５は、左右ボタンで実現された入力部１３０と表示部１２０を示している。このとき、図５では、右側ボタンが押されれば表示部１２０に表示される身長値が増加してもよく、左側ボタンが押されれば表示部１２０に表示される身長値が減少してもよい。このとき、一度のボタンプッシュによって「０．５センチメートル」または「１．０センチメートル」のように予め設定された単位レベルだけ、表示部１２０に表示される身長値が増加または減少してもよい。また、ボタンが押される時間に応じて身長値の変動幅が変更されてもよい。例えば、初めてボタンが押された状態から維持されれば、初めは予め設定された時間間隔ごとに「０．５センチメートル」ずつ身長値が変動し、一定時間が経過した後からは「１．０センチメートル」または「５．０センチメートル」のように身長値が変動する幅が変更されてもよい。
【００６４】
図３〜図５では、多様な方式で実現された入力部１３０について説明した。このとき、身長値の変動幅が調節可能であることを説明した。また、他の実施形態では、入力部１３０で連続制御器が回転したり、スライドバーが移動したり、またはボタンがクリックされるたびに、既に格納された身長値が多様な方法によって表示されてもよい。例えば、Ｈ１、Ｈ２、Ｈ３の順に格納された身長値が存在する場合、表示部１２０は、まずＨ３を表示し、入力部が操作されるたびに、Ｈ２、Ｈ１の順に身長値を表示してもよい。他の例として、表示部１２０は、既に格納された身長値の大きさに応じて最も小さい身長値をまず表示し、入力部１３０が操作されるたびに、次第に大きい身長値を表示してもよい。
【００６５】
また、後述するデフォルト値が適用される場合にも、上述したような例が同じように適用されてもよい。例えば、身長値の大きさが、Ｈ１は「１６０センチメートル」、Ｈ２は「１６５センチメートル」、Ｈ３は「１８０センチメートル」、デフォルト値は「１６３センチメートル」であると仮定しよう。このとき、表示部１２０は、最初デフォルト値として「１６３センチメートル」を表示し、入力部１３０が操作されるたびに「１６３センチメートル」、「１６０センチメートル」、および「１８０センチメートル」の順に身長値を表示してもよい。
【００６６】
再び図１および図２を参照すれば、入力部１３０で身長値が上下調節されることによって身長値の入力が完了してもよい。例えば、入力部１３０によって身長値が増加した後、予め設定された時間に身長値が変化しなければ、体成分測定装置１００は身長値の入力が完了したと判断してもよい。他の例として、入力部１３０で身長値が上下調節され、入力部１３０に対する圧力が感知される場合、前記身長値の入力が完了してもよい。例えば、入力部１３０自体が１つのボタンで動作してもよく、入力部１３０が押される場合、体成分測定装置１００は身長値の入力が完了したと判断してもよい。
【００６７】
また、入力部１３０が操作されるとき、表示部１２０には身長値のデフォルト値が優先的に表示されてもよい。すなわち、入力部１３０が操作されれば、表示部１２０では表示されたデフォルト値から身長値が調節されてもよい。このため、体成分測定装置１００は、入力部１３０が操作されるとき、表示部１２０に示される身長値がデフォルト値から調節されるように表示部１２０を制御する制御部（図示せず）をさらに含んでもよい。このとき、表示部１２０は、上述したように入力部１３０に対する接触が発生する場合、前記デフォルト値を表示してもよい。また、このようなデフォルト値は可変してもよい。
【００６８】
体成分測定装置１００は、身長値が格納される格納部（図示せず）をさらに含んでもよい。ここで、上述したデフォルト値は、格納部に格納された少なくとも一人以上の過去の被測定者などの身長値のうちの１つであってもよい。例えば、デフォルト値は、格納部に格納された過去の被測定者の身長値であってもよい。すなわち、家庭用のように体成分測定装置１００のユーザが極めて少ない場合には、過去の被測定者が再び体成分測定装置１００を利用する確率が極めて高い。このような場合には、既に格納された被測定者などの身長値が再び利用される確率が極めて高いだけでなく、過去の被測定者が再び体成分測定装置１００を使用する確率が最も高い。したがって、体成分測定装置１００は、格納部に格納された少なくとも一人以上の過去の被測定者などの身長値のうちの１つ、特に過去の被測定者の身長値をデフォルト値として利用することにより、ユーザの便宜性を極大化することができる。
【００６９】
また、デフォルト値は、現在の被測定者の体重に対応する標準身長値であってもよい。例えば、現在の被測定者が体成分測定装置１００を利用するために電極部１１０の上に上がれば、体成分測定装置１００の体重測定部が現在の被測定者の体重値を測定し、測定された体重値に対応する標準身長値を確認してデフォルト値として表示部１２０に表示してもよい。したがって、現在の被測定者は、デフォルト値から入力部１３０による最小限の操作だけによって自身の身長値を入力してもよい。
【００７０】
また、デフォルト値は、以前被測定者などの体重に対応する標準身長値であってもよい。例えば、銭湯などのように業者で用いられる体成分測定装置１００は、多くの人が体成分測定装置１００を利用するため、体成分測定装置１００を誰が利用するかを知ることが難しい。したがって、体成分測定装置１００は、過去の被測定者などの体重に対応する標準身長値を利用することにより、ユーザがデフォルト値から最小の変化だけで身長値を入力するようにしてもよい。このとき、以前被測定者などの体重は、上述した格納部に身長値と共に格納される体重値から把握してもよい。
【００７１】
また、体成分測定装置１００は、格納部に格納された身長値の平均値を演算する演算部（図示せず）をさらに含んでもよい。ここで、デフォルト値は、演算部で演算された身長値の平均値であってもよい。この場合にも、体成分測定装置１００は、既に格納された身長値の平均値を利用することにより、どの被測定者が再び体成分測定装置１００を利用しても、平均的な最小限の操作によって身長値を入力することができる。
【００７２】
図６は、本発明の一実施形態に係る体成分測定装置の入力部と表示部を示す図である。以後では、図２と図６を共に参照しながら、体成分測定装置１００の電源を印加する方法と身長値が入力される方法についてより詳しく説明する。
【００７３】
第１点線ボックス６１０は、被測定者が電極部１１０が配置された踏み板の上に上がっていない状態で入力部１３０を押したとき、電源が印加されて体成分測定装置１００が駆動することを示している。すなわち、入力部１３０が電源ボタンの機能を含んでもよい。このとき、第１点線ボックス６１０には、表示部１２０にデフォルト値として「０．０センチメートル」が表示された場合を示している。しかし、必要によって、デフォルト値は上述したように多様な方法によって決定されて表示されてもよい。
【００７４】
第２点線ボックス６２０は、被測定者が電極部１１０が配置された踏み板の上に上がった状態で体成分測定装置１００の体重測定部が圧力を感知したとき、自動で電源が印加されて体成分測定装置１００が駆動することを示している。ここで、表示部１２０には、被測定者に対して測定された体重値が表示されてもよい。
【００７５】
第３点線ボックス６３０は、電源が印加されて体成分測定装置１００が駆動した後、体成分測定装置１００のユーザが入力部１３０を時計方向または半時計方向に調節して身長を入力する様子を示している。このとき、表示部１２０は、時計方向または半時計方向に回転する連続制御器によって減少または増加する身長値を表示してもよい。
【００７６】
このとき、入力部１３０によって身長値の操作が一定時間以上発生しなかったり入力部１３０が押されたりする場合、体成分測定装置１００は身長値の入力が完了したと判断してもよく、表示部１２０は入力が完了した身長値を表示してもよい。
【００７７】
図２〜図６に示す表示部１２０は一例に過ぎず、本発明の実施形態に係る表示部１２０が図２〜図６に示す表示部１２０に制限されることはない。例えば、図２〜図６では内臓脂肪を平方センチメートルの単位で表示したが、必要によって、内臓脂肪は予め設定されたレベルの形態で表示されてもよい。
【００７８】
図７は、本発明の一実施形態に係る体成分測定装置の表示部の変化を示す図である。以後では、図２と図７を共に参照しながら、体成分測定装置１００で体成分を測定する間、表示部１２０で生体情報を表示する過程を説明する。
【００７９】
第１点線ボックス７１０は、被測定者が電極部１１０が配置された踏み板の上に上がった状態で手電極部を掴んだとき、表示部１２０で測定姿勢を示す部分が点滅する様子を示している。
【００８０】
第２点線ボックス７２０は、体成分測定装置１００が被測定者の体成分を測定する間、表示部１２０で測定進行率が表示される様子を示している。このとき、必要によって、体成分測定装置１００は、開始音および測定進行音のうちの少なくとも１つの音信号を出力してもよい。
【００８１】
第３点線ボックス７３０は、体成分分析が完了した後、表示部１２０に体成分の測定が完了したことを知らせる「Ｅｎｄ」が表示され、測定された生体情報が順に表示される様子を示している。すなわち、図７の一例では、身長と体重に関する情報が表示された状態で体脂肪量、筋肉量、内臓脂肪に関する情報が順に表示される様子を示している。体成分測定装置１００は、体成分の測定が完了したとき、必要によっては終了音を出力してもよい。
【００８２】
このとき、表示部１２０は、測定された測定値それぞれを時間の流れに応じて１つずつ表示する第１領域、および前記第１領域で示された測定値を順にすべて表示する第２領域を含んでもよい。すなわち、図７において、第１領域は大きい数字が時間の流れに応じて１つずつ表示される表示部１２０の右側領域に対応してもよく、第２領域は体脂肪量、筋肉量、内臓脂肪などの測定値が順にすべて表示される表示部１２０の左側領域に対応してもよい。例えば、第１領域では体重、体脂肪量、筋肉量、および内臓脂肪に関する情報が２秒ずつ順に表示されてもよく、第２領域では一度表示された情報が累積して継続して表示されてもよい。
【００８３】
また、第１領域に第１測定値が表示されるとき、第２領域に順に表示された測定値のうちの第１測定値にカーソルが表示されてもよく、第１領域に第２測定値が表示されるとき、第２領域に順に表示された測定値のうちの前記第２測定値にカーソルが表示されてもよい。すなわち、図７の第３点線ボックス７３０に示された表示部１２０には、現在の第１領域に表示される測定値に対応する第２領域の測定値にカーソルが表示されていることが分かる。
【００８４】
測定された体成分に対する表示が完了した後、一定時間が経過すれば、印加されていた電源がオフ（ｏｆｆ）になり、一定時間内に再び電源が印加されれば、表示部１２０は最後に測定した測定値を第２領域に表示してもよい。
【００８５】
体成分測定装置１００は、電源を印加するプロセスを含んでもよい。ここで、電源を印加するプロセスは、上述して説明したように、入力部１３０が押されれば実行されてもよく、または体重測定部が被測定者の体重を認識すれば実行されてもよい。
【００８６】
また、体成分測定装置１００は、被測定者が正しい測定姿勢をとったかを判断して被測定者に知らせ、被測定者の測定姿勢をとる時点を知らせる通知部（図示せず）をさらに含んでもよい。
【００８７】
図８は、本発明の一実施形態に係る体成分測定装置の内部構成を説明するためのブロック図である。本実施形態に係る体成分測定装置８００は、図１〜図７を参照しながら説明した体成分測定装置１００に対応してもよく、図８に示すように、電極部８１０、体重測定部８２０、表示部８３０、入力部８４０、インピーダンス測定部８５０、および体成分測定部８６０を含んでもよく、必要によっては制御部８７１、格納部８７２、演算部８７３、および通知部８７４のうちの少なくとも１つを選択的に含んでもよい。それぞれの構成要素については、既に図１〜図７によって詳しく説明したため、反復する説明は省略する。
【００８８】
図９は、本発明の一実施形態において、体成分測定装置が実行するプロセスの一例を示す図である。本実施形態に係るプロセスは、図８を参照しながら説明した体成分測定装置８００によって実行されてもよい。
【００８９】
第１プロセス９１０において、体成分測定装置８００は、入力部８４０によって身長値が入力され、表示部８３０によって身長値を表示する。
【００９０】
第２プロセス９２０において、体成分測定装置８００は、電極部８１０と接触した被測定者の体重値を体重測定部８２０によって測定する。
【００９１】
第３プロセス９３０において、体成分測定装置８００は、インピーダンス測定部８５０によって電極部８１０と接触した人体のインピーダンス値を測定する。
【００９２】
第４プロセス９４０において、体成分測定装置８００は、体成分測定部８６０によって体成分値を測定する。
【００９３】
第５プロセス９５０において、体成分測定装置８００は、体重測定部８２０によって測定された体重値と体成分測定部８６０によって測定された体成分値を表示部８３０によって表示する。
【００９４】
図１０は、本発明の一実施形態において、体成分測定装置が実行するプロセスの他の例を示す図である。本実施形態に係るプロセスは、図８を参照しながら説明した体成分測定装置８００によって実行されてもよく、電極部８１０が図２で説明したように、手電極部および足電極部に分かれる場合に実行されてもよい。
【００９５】
第１プロセス１０１０において、体成分測定装置８００は、足電極部に上がった被測定者の体重値を体重測定部８２０によって測定する。
【００９６】
第２プロセス１０２０において、体成分測定装置８００は、入力部８４０によって身長値が入力され、表示部８３０が身長値を表示する。
【００９７】
第３プロセス１０３０において、体成分測定装置８００は、インピーダンス測定部８５０によって手電極部と接触した人体のインピーダンス値を測定する。
【００９８】
第４プロセス１０４０において、体成分測定装置８００は、体成分測定部８６０によって体成分値を測定する。
【００９９】
第５プロセス１０５０において、体成分測定装置８００は、体重測定部８２０によって測定された体重値と体成分測定部８６０によって測定された体成分値を表示部８３０によって表示する。
【０１００】
図１〜図７では、体成分測定装置１００の踏み板の上に入力部１３０と表示部１２０が配置される実施形態について説明した。また、図８〜図１０の実施形態によって説明した体成分測定装置８００も、入力部８４０と表示部８３０が踏み板の上に配置されて実現されてもよい。
【０１０１】
しかし、後述する本発明の他の実施形態に係る体成分測定装置８００では、図２のように電極部８１０が手電極部および足電極部に分けられてもよく、入力部８４０および表示部８３０のうちの少なくとも１つが、手電極部が配置されたハンドル上に配置されて実現されてもよい。
【０１０２】
図１１は、本発明の他の実施形態において、入力部がハンドル上に配置されて実現された体成分測定装置が実行するプロセスの例を示す図である。本実施形態に係るプロセスは、図８で説明した体成分測定装置８００によって実行されてもよく、電極部８１０が図２で説明したように、手電極部および足電極部に分かれており、少なくとも入力部８４０が図２で説明したハンドル２１０上に配置された場合に実行されてもよい。
【０１０３】
第１プロセス１１１０において、体成分測定装置８００は、手電極部を掴んで足電極部に上がった被測定者の体重値を体重測定部８２０によって測定する。
【０１０４】
第２プロセス１１２０において、体成分測定装置８００は、手電極部が配置されたハンドルの入力部８４０によって身長値が入力され、表示部８３０によって身長値を表示する。
【０１０５】
第３プロセス１１３０において、体成分測定装置８００は、インピーダンス測定部８５０によってインピーダンス値を測定する。
【０１０６】
第４プロセス１１４０において、体成分測定装置８００は、体成分測定部８６０によって体成分値を測定する。
【０１０７】
第５プロセス１１５０において、体成分測定装置８００は、体重測定部８２０によって測定された体重値と体成分測定部８６０によって測定された体成分値を表示部８３０によって表示する。
【０１０８】
図１２は、本発明の一実施形態において、生体情報管理システムを概括的に示す図である。図１２は、本実施形態に係る生体情報管理システム１２００と少なくとも１つの体成分測定装置１２１０、およびユーザ端末１２３０を示している。
【０１０９】
生体情報管理システム１２００は、少なくとも１つの体成分測定装置１２１０から生体情報を受信して格納および管理するシステムである。このとき、少なくとも１つの体成分測定装置１２１０は、生体情報管理システム１２００で測定された生体情報を直接に送信してもよく、または別途のユーザ端末１２３０を利用して生体情報管理システム１２００ｌに送信してもよい。
【０１１０】
例えば、別途のユーザ端末１２３０を利用する場合、体成分測定装置は「Bluetooth（登録商標）」などのような近距離通信網を介してユーザ端末１２３０と通信して生体情報をユーザ端末１２３０に送信してもよく、ユーザ端末１２３０はインターネットを介して生体情報管理システム１２００に生体情報を伝達してもよい。
【０１１１】
より詳しい例として、ユーザが家庭用体成分測定装置を購入して利用しようとする場合、ＰＣ（Personal Computer）でインターネットを介して体成分測定装置の連動プログラムをダウンロードして設置してもよく、「Bluetooth（登録商標）」やＵＳＢ（Universal Serial Bus）などを利用してＰＣと体成分測定装置を接続してもよい。ここで、ＰＣの連動プログラムが作動している状態でユーザが体成分測定装置によって体成分を測定する場合、測定された生体情報がＰＣによって生体情報管理システム１２００に送信されてもよい。ユーザは体成分を測定しなかった状態でも、ＰＣの連動プログラムを利用してユーザアカウントを生成してもよい。
【０１１２】
また、他の例として、体成分測定装置１２１０の表示部の少なくとも一部をカメラで撮影したイメージを生体情報管理システム１２００に送信することにより、生体情報が伝達されてもよい。
【０１１３】
図１３は、生体情報管理システム１２００と直接通信によって体成分測定装置１２１０から生体情報を受信して格納および管理する実施形態を説明し、図１４は、体成分測定装置１２１０の表示部の少なくとも一部に対してイメージ撮影によって受信される生体情報を生体情報管理システム１２００が格納および管理する実施形態をそれぞれ説明する。
【０１１４】
図１３は、本発明の一実施形態において、生体情報管理システムの内部構成を説明するためのブロック図である。本実施形態に係る生体情報管理システム１３００は、受信部１３１０、生成部１３２０、および格納部１３３０を含み、必要によっては管理部１３４０をさらに含んでもよい。
【０１１５】
受信部１３１０は、入力された身長値、被測定者に対して測定した体重値、およびインピーダンス値によって被測定者の体成分値を測定する体成分測定装置から生体情報および体成分測定装置の機器固有番号を含むデータを受信する。ここで、生体情報は、測定生体情報の体成分値と入力生体情報の身長値を含んでもよい。
【０１１６】
生成部１３２０は、生体情報および機器固有番号を利用してユーザ識別情報を生成する。
【０１１７】
格納部１３３０は、生成されたユーザ識別情報と生体情報を互いに関連して格納データとして格納する。
【０１１８】
管理部１３４０は、受信部１３１０によって受信されたデータと格納部１３３０に既に格納された格納データを比較して現在のユーザを識別し、識別されたユーザの生体情報を格納データにアップデートする。
【０１１９】
このとき、管理部１３４０は、受信されたデータのうちの入力生体情報と機器固有番号を既に格納された格納データとまず比較してユーザを識別してもよい。ここで、入力生体情報は身長値を含んでもよい。例えば、１つの体成分測定装置を用いる「家族アカウント」が生成されている場合、管理部１３４０は機器固有番号によって「家族アカウント」を識別してもよく、ユーザの身長値を用いて「家族アカウント」内の「ユーザアカウント」を識別してもよい。
【０１２０】
また、管理部１３４０は、受信されたデータのうちの測定生体情報と機器固有番号を既に格納された格納データと比較して識別されたユーザを確認してもよい。ここで、測定生体情報は、体重値、インピーダンス値、および体成分値のうちの少なくとも１つを含んでもよい。すなわち、互いに異なる被測定者の間にも同一する機器固有番号と同一する身長値が存在する可能性があるため、体重値、インピーダンス値、および体成分値のうちの少なくとも１つをさらに利用して識別されたユーザを確認してもよい。
【０１２１】
管理部１３４０は、受信されたデータと単一の格納データの間の差が許容範囲以内である場合、ユーザの生体情報を前記格納データにすぐにアップデートしてもよい。例えば、管理部１３４０は、身長値、体重値、インピーダンス値、および体成分値のうちの少なくとも１つに対し、受信されたデータに含まれた値と単一の格納データに含まれた値の差が許容範囲以内である場合には、ユーザの生体情報を該当する単一の格納データにすぐにアップデートしてもよい。
【０１２２】
しかし、身長値、体重値、インピーダンス値、および体成分値のうちの少なくとも１つに対し、受信されたデータに含まれた値と格納データに含まれた値の差が許容範囲以内である格納データが複数である場合、管理部１３４０は複数の格納データに関する情報をユーザに提供し、ユーザによって選択された格納データにユーザの生体情報をアップデートしてもよい。すなわち、管理部１３４０は、受信されたデータと複数の格納データそれぞれの間の差が許容範囲以内である場合、前記複数の格納データに関する情報をユーザに提供し、ユーザによって選択された格納データにユーザの生体情報をアップデートしてもよい。
【０１２３】
また、管理部１３４０は、身長値、体重値、インピーダンス値、および体成分値のうちの少なくとも１つに対し、受信されたデータに含まれた値と格納データに含まれた値の差が許容範囲以内の格納データが存在しない場合、機器固有番号を用いて生体情報を確認してもよい。すなわち、管理部１３４０は、受信されたデータと格納データ間の差が許容範囲を逸脱する場合、受信された機器固有番号と同一する機器固有番号を含む格納データに関する情報をユーザに提供し、ユーザによって選択された格納データにユーザの生体情報をアップデートしてもよい。
【０１２４】
図１４は、本発明の他の実施形態において、生体情報管理システムの内部構成を説明するためのブロック図である。本実施形態に係る生体情報管理システム１４００は、受信部１４１０および生体情報抽出部１４２０を含み、必要によっては格納部１４３０をさらに含んでもよい。
【０１２５】
受信部１４１０は、入力された身長値、被測定者に対して測定した体重値、およびインピーダンス値によって被測定者の体成分値を測定する体成分測定装置の表示部の少なくとも一部を撮影し、撮影されたイメージを送信する端末機からイメージを受信する。
【０１２６】
生体情報抽出部１４２０は、イメージを分析して生体情報を抽出する。
【０１２７】
格納部１４３０は、抽出された生体情報をユーザ識別情報と関連して格納データとして格納する。
【０１２８】
すなわち、ユーザは、体成分測定装置の表示部の少なくとも一部に表示された生体情報をカメラ、スマートフォンなどを利用して撮影し、撮影されたイメージをスマートフォンまたはＰＣなどの端末機を利用して生体情報管理システム１４００に送信してもよい。ここで、生体情報管理システム１４００は、受信されたイメージを分析して生体情報を抽出することにより、被測定者の生体情報が得られるようになる。
【０１２９】
図１４で省略した内容は図１３を参照してもよく、図１２〜図１４で説明される体成分測定装置については図１〜図１１を参照してもよい。
【０１３０】
このように、本発明の実施形態によれば、被測定者の身長値を除いた他のユーザ情報を入力しなくても、体成分を測定することができる。
【０１３１】
また、被測定者の身長値だけを入力要素とするため、ダイヤル、ノブ、スライドバー、ホイールなどの連続制御器などのように簡単な形態の単一の入力部だけでユーザ情報の入力が可能であり、身長値だけが入力されて被測定者の身体と電極部が接触することだけで体成分を測定してもよい。ただし、必要によっては、体成分値以外の比較指標を提供するために、年齢および性別のうちの少なくとも１つがさらに入力されてもよい。すなわち、体成分値の測定のためには、年齢および性別と独立的に身長値だけが入力されてもよいが、体成分値でない他の別途の比較指標をさらに提供するために、年齢と性別のうちの少なくとも１つがさらに入力されてもよい。このような年齢や性別は、体成分測定が完了した後に入力されてもよい。
【０１３２】
また、表示部に示される身長が可変なデフォルト値から調節されるようにすることにより、身長値の入力時にユーザの便宜性を極大化することができ、身長値の入力時、柔軟に設定された身長のデフォルト値を確認し、ユーザがその身長のデフォルト値からボタン、ダイヤル、またはホイール形態の入力部を調節して自身の身長を最小限に高めたり低めたりして調節することにより、狭い身長値の範囲を移動することによって入力時間が短縮され、入力の不便を減らすことができる。
【０１３３】
また、第１領域および第２領域に分けられた表示部により、第１領域は測定された測定値それぞれを時間の流れに応じて１つずつ大きく表示し、第２領域は第１領域で示された測定値を累積してすべて表示し、ユーザに体成分測定結果を一目で確認しやすいユーザインターフェースの形態で提供することにより、ユーザの便宜性を向上させることができる。
【０１３４】
また、体成分測定装置の表示部の少なくとも一部を撮影したイメージをユーザのＰＣやスマートフォンなどのユーザ端末を介して受信し、受信されたイメージを分析して生体情報を抽出することにより、ユーザの体成分測定結果データを管理することができ、体成分測定装置の機器固有番号とユーザの身長値を利用してユーザを識別してもよい。
【０１３５】
以上、本発明は限定された実施形態と図面によって説明されたが、本発明は上述した実施形態に限定されるものではなく、本発明が属する分野において通常の知識を有する者であれば、このような記載から多様な修正および変形が可能である。
【０１３６】
したがって、本発明の範囲は、説明された実施形態に限定されて定められてはならず、後述する特許請求の範囲だけでなく、この特許請求の範囲と均等なものによって定められなければならない。
【符号の説明】
【０１３７】
１００：体成分測定装置
１１０：電極部
１２０：表示部
１３０：入力部
【図１】
2013056151.tif 000003
【図２】
2013056151.tif 000004
【図３】
2013056151.tif 000005
【図４】
2013056151.tif 000006
【図５】
2013056151.tif 000007
【図６】
2013056151.tif 000008
【図７】
2013056151.tif 000009
【図８】
2013056151.tif 000010
【図９】
2013056151.tif 000011
【図１０】
2013056151.tif 000012
【図１１】
2013056151.tif 000013
【図１２】
2013056151.tif 000014
【図１３】
2013056151.tif 000015
【図１４】
2013056151.tif 000016